(57)【特許請求の範囲】
【請求項１】
床基礎に配設される床構造において、床基礎の上に、直線状溝、半円環状湾曲溝及び四分環状湾曲溝とが形成されている冷暖房用パイプ施工用第１パネルと、直線状溝のみが形成されている冷暖房用パイプ施工用第２パネルとの２種類のパネルからなる冷暖房用パイプ施工用パネルが付設され、また、冷暖房用パイプ施工用パネルの上には、無垢の平板状の冷暖房用パイプ保護用パネルが付設され、更に、冷暖房用パイプ保護用パネルの上には、電力線・通信線が配設される主通路形成用パネルが、所定の間隔を置いて付設され、更にまた、主通路形成用パネルの上には、電力線・通信線が配設される副通路形成用パネルが、所定の間隔を置いて布設されているとともに、副通路形成用パネル間の間隔が、主通路形成用パネル間の間隔の上方に位置するように構成されていることを特徴とする床構造。
【発明の詳細な説明】
【技術分野】
【０００１】
本願発明は、コンクリート等で形成された床基礎に配設される床構造に関するものである。
【背景技術】
【０００２】
本出願人は、特許文献１において、種々の形状の床暖房用パイプ溝が形成された略方形状の床モジュールを、隣接する床モジュール間に所定の間隙（この間隙には、電線コードや光ファイバ等の電力線・通信線が収容され配線されることになる。）を置いて、床基礎上に敷き詰め、次いで、床モジュールに形成された床暖房用パイプ溝に、床暖房用パイプを挿入し、その後、床暖房用パイプが配設された床モジュール上に、アルミニウム板及びフローリング材を敷き詰めることにより構成された床構造を提案した。
【０００３】
【特許文献１】特開２００５−３６６４０号公報
【発明の開示】
【発明が解決しようとする課題】
【０００４】
上述した床構造においては、略方形状の床モジュールを、隣接する床モジュール間に所定の間隙を置いて、多数、敷き詰めなくてはならず、床構造の施工作業に、相当の時間と労力を要するという問題があった。
【０００５】
また、種々の床暖房用パイプ溝の形状を有する床モジュールを選択して、床基礎上に多数の敷き詰めなければならないので、種々の床暖房用パイプ溝の形状を有する床モジュールの中から、適当な床モジュールを探すのに更に時間と労力を要するという問題があった。
【０００６】
上述した床構造においては、床基礎上に布設された、隣接する床モジュール間に形成された間隙に、電力線・通信線を収容し、床モジュールの上面に形成された床暖房用パイプ溝に、床暖房用パイプが挿入されるように構成されている。ところで、近年の床暖房装置の技術発展により、床暖房用パイプを含め床暖房装置のトラブルの発生は、非常に少ないが、電力線・通信線の配線替えは、頻繁に行われている。上述した床構造においては、電力線・通信線の配線替えを行う際には、床モジュールの上面に形成された床暖房用パイプ溝に挿入されている床暖房用パイプを、床暖房用パイプ溝から排出しなければならず、従って、電力線・通信線の配線替え作業の作業性が悪いという問題があった。
【０００７】
本発明の目的は、上述した床構造が有する課題を解決することにある。
【課題を解決するための手段】
【０００８】
本発明は、上述した目的を達成するために、床基礎に配設される床構造において、床基礎の上に、直線状溝、半円環状湾曲溝及び四分環状湾曲溝とが形成されている冷暖房用パイプ施工用第１パネルと、直線状溝のみが形成されている冷暖房用パイプ施工用第２パネルとの２種類のパネルからなる冷暖房用パイプ施工用パネルが付設され、また、冷暖房用パイプ施工用パネルの上には、無垢の平板状の冷暖房用パイプ保護用パネルが付設され、更に、冷暖房用パイプ保護用パネルの上には、電力線・通信線が配設される主通路形成用パネルが、所定の間隔を置いて付設され、更にまた、主通路形成用パネルの上には、電力線・通信線が配設される副通路形成用パネルが、所定の間隔を置いて布設されているとともに、副通路形成用パネル間の間隔が、主通路形成用パネル間の間隔の上方に位置するように構成したものである。
【発明の効果】
【０００９】
床基礎に配設される床構造において、冷暖房用パイプが配設される冷暖房用パイプ施工用パネルの上に、電力線・通信線が配設される主通路形成用パネルを布設し、更に、該主通路形成用パネルの上に、副通路形成用パネルを布設したので、電力線・通信線の配線替えの際に、冷暖房用パイプが配設された冷暖房用パイプ施工用パネルを取り外す必要がなく、従って、電力線・通信線の配線替え作業の作業性が向上する。
【００１０】
また、冷暖房用パイプが配設される冷暖房用パイプ施工用パネルと主通路形成用パネルとの間に、冷暖房用パイプ保護用パネルを配設したので、上からの負荷により、冷暖房用パイプが損傷するようなことを防止することができるとともに、暖房熱や冷却熱を、効果的に蓄熱することができ、従って、冷暖房の熱維持効果を高めることができる。
【００１１】
更に、冷暖房用パイプ施工用パネルを、直線状溝、半円環状湾曲溝及び四分環状湾曲溝とが形成されている冷暖房用パイプ施工用第１パネルと、直線状溝のみが形成されている冷暖房用パイプ施工用第２パネルとの２種類のパネルにより構成したので、この２種類のパネルのみにより、どのような大きさの床基礎上に冷暖房用パイプを配設することができるので、冷暖房用パイプの布設時間を短縮することができるとともに、冷暖房用パイプの布設に特殊能力を必要とせず、従って、冷暖房用パイプの布設作業の作業性が向上する。
【実施例】
【００１２】
以下に、本発明の床構造の実施例について説明するが、本発明の趣旨を越えない限り、何ら、本実施例に限定されるものではない。
【００１３】
先ず最初に、図１及び図２を用いて、本発明の床構造を構成する冷暖房用パイプ施工用第１パネルＰ１’について説明する。
【００１４】
冷暖房用パイプ施工用第１パネルＰ１’の上面には、冷暖房用パイプ施工用第１パネルＰ１’の相対する長辺ｐ１’に沿って、等間隔に直線状長溝１ａが形成されており、また、冷暖房用パイプ施工用第１パネルＰ１’の相対する短辺ｐ１”に沿って、上記の直線状長溝１ａの間隔と略同じ間隔で等間隔に直線状短溝１ｂが形成されている。
【００１５】
冷暖房用パイプ施工用第１パネルＰ１’の上面には、隣接する相対する直線状長溝１ａと同じく互いに隣接する相対する直線状短溝１ｂとにより囲繞された、略正方形状の碁盤目領域（以下、この碁盤目を、正方形状碁盤目領域と称する。）２ａが形成されている。
【００１６】
また、冷暖房用パイプ施工用第１パネルＰ１’の周縁部には、長辺ｐ１’及び短辺ｐ１”に沿って、長辺ｐ１’及び短辺ｐ１”と平行な幅が、正方形状碁盤目領域２ａと同じ幅を有し、且つ、長辺ｐ１’及び短辺ｐ１”に対して垂直方向の幅が、正方形状碁盤目領域２ａの幅の半分の幅を有する領域（以下、この領域を、半碁盤目領域と称する。）２ｂが形成されている。
【００１７】
冷暖房用パイプ施工用第１パネルＰ１’の正方形状碁盤目領域２ａには、相対する短辺ｐ１”の一方の短辺ｐ１”（図１において、右側に位置する短辺ｐ１”）側に向かって湾曲した略半環状の湾曲溝（以下、この湾曲溝を、半環状湾曲溝という。）１ｃが形成されており、半環状湾曲溝１ｃの湾極端１ｃ’は、直線状短溝１ｂに接線状に連結されているとともに、半環状湾曲溝１ｃの２箇所の端部１ｃ”は、それぞれ、隣接する相対する直線状長溝１ａに接線状に連結されている。このような半環状湾曲溝１ｃは、全ての正方形状碁盤目領域２ａに形成することもできるが、図１に示されているように、所定の正方形状碁盤目領域２ａに形成することもできる。
【００１８】
また、冷暖房用パイプ施工用第１パネルＰ１’の半碁盤目領域２ｂには、相対する短辺ｐ１”の一方の短辺ｐ１”（図１において、右側に位置する短辺ｐ１”）側に向かって湾曲した、環状溝の略四分の一の湾曲溝（以下、この湾曲溝を、四分環状湾曲溝という。）１ｄが形成されており、四分環状湾曲溝１ｄの湾極端１ｄ’は、直線状短溝１ｂに接線状に連結されているとともに、四分環状湾曲溝１ｄの端部１ｄ”は、直線状長溝１ａに接線状に連結されている。このような四分環状湾曲溝１ｄは、全ての半碁盤目領域２ｂに形成することも、図１に示されているように、所定の半碁盤目領域２ｂに形成することもできる。
【００１９】
次に、図３を用いて、本発明の床構造を構成する冷暖房用パイプ施工用第２パネルＰ１”について説明する。
【００２０】
冷暖房用パイプ施工用第２パネルＰ１”の大きさは、上述した冷暖房用パイプ施工用第１パネルＰ１’と略同じ大きさを有しており、冷暖房用パイプ施工用第２パネルＰ１”の上面には、相対する長辺ｐ１’に沿って、且つ、相対する短辺ｐ１”まで達する直線状長溝１ｅが、等間隔に形成されており、隣接する相対する直線状長溝１ｅ間の間隔は、冷暖房用パイプ施工用第１パネルＰ１’の相対する長辺ｐ１’に沿って、等間隔に形成された直線状長溝１ａの間隔と同じに形成されている。
【００２１】
冷暖房用パイプ施工用第２パネルＰ１”の上面には、隣接する相対する直線状長溝１ｅ間に位置する帯状の領域（以下、この領域を、帯状領域と称する。）２ｃが形成されている。また、冷暖房用パイプ施工用第２パネルＰ１”には、長辺ｐ１’に隣接する、帯状領域２ｃの幅（短辺ｐ１”に沿った長さ）の半分の幅を有する帯状の領域（以下、この領域を、長辺側領域と称する。）２ｄが形成されている。
【００２２】
なお、便宜的に、冷暖房用パイプ施工用第１パネルＰ１’の長辺と冷暖房用パイプ施工用第２パネルＰ１”の長辺とには、同じ符号ｐ１’が使用されており、また、冷暖房用パイプ施工用第１パネルＰ１’の短辺と冷暖房用パイプ施工用第２パネルＰ１”の短辺とにも、同じ符号ｐ１”が使用されている。
【００２３】
図４に示されているパネルＰ２は、冷暖房用パイプ施工用第１パネルＰ１’及び冷暖房用パイプ施工用第２パネルＰ１”と略同じ大きさを有する冷暖房用パイプ保護用パネルＰ２であり、溝や切欠き等が形成されていない無垢の平板状に形成されている。なお、冷暖房用パイプ保護用パネルＰ２の長辺には、符号ｐ２’が付されており、短辺には、符号ｐ２”が付されている。
【００２４】
略同じ大きさに形成されている冷暖房用パイプ施工用第１パネルＰ１’及び冷暖房用パイプ施工用第２パネルＰ１”の大きさは、一例として、長辺ｐ１’が、略１８００ｍｍであり、短辺ｐ１”が、略９００ｍｍに形成されている。
【００２５】
図５に示されているパネルＰ３は、主通路形成用パネルであり、主通路形成用パネルＰ３には、少なくとも、相対する短辺ｐ３”の一方の短辺３”の両端部に位置する角部に、方形状の切欠部３が形成されており、主通路形成用パネルＰ３を、複数、布設することにより、後述する電力線・通信線が通線される主通路が形成されることになる。主通路形成用パネルＰ３の大きさは、冷暖房用パイプ施工用第１パネルＰ１’や冷暖房用パイプ施工用第２パネルＰ１”より、若干、小さく形成されている。例えば、上述したように、冷暖房用パイプ施工用第１パネルＰ１’及び冷暖房用パイプ施工用第２パネルＰ１”の長辺ｐ１’の長さが、略１８００ｍｍである場合には、主通路形成用パネルＰ３の長辺ｐ３’の長さは、それより、２０ｍｍ程度、短く形成されており、また、冷暖房用パイプ施工用第１パネルＰ１’及び冷暖房用パイプ施工用第２パネルＰ１”の短辺ｐ１”の長さが、略９００ｍｍである場合には、主通路形成用パネルＰ３の短辺ｐ３”の長さは、それより、同じく、２０ｍｍ程度、短く形成されている。これは、主通路形成用パネルＰ３を施工する際に、隣接する主通路形成用パネルＰ３間に、電力線・通信線が通線される主通路を形成するためである。
【００２６】
なお、主通路形成用パネルＰ３の４つの角部に、方形状の切欠部３を形成することもできる。また、切欠部３を構成する、互いに直交する辺部３ａ、３ｂの一方の辺部３ａは、短辺ｐ３”に対して平行で、また、互いに直交する辺部３ａ、３ｂのもう一方の辺部３ｂは、長辺ｐ３’に対して平行になるように構成されている。
【００２７】
図６に示されているパネルＰ４は、副通路形成用パネルであり、副通路形成用パネルＰ４にも、上述した主通路形成用パネルＰ３と同様に、少なくとも、パネルＰ４の相対する短辺ｐ４”の一方の短辺ｐ４”の両端部に位置する角部に、方形状の切欠部４が形成されている。副通路形成用パネルＰ４の上面には、切欠部４が形成されていない短辺ｐ４”の両端部に位置する相対するの角部ｐ４ａ、ｐ４ｂの一方の角部ｐ４ａから、長辺ｐ４’及び短辺ｐ４”に対して４５度の角度で、対向する長辺ｐ４’に向けて、直線状に延在する直線状傾斜溝４ａが形成されているとともに、直線状傾斜溝４ａに対して平行に、且つ、所定の間隔を置いて、直線状傾斜溝４ａ’が形成されている。同様に、短辺ｐ４”の両端部に位置する相対するの角部ｐ４ａ、ｐ４ｂのもう一方の角部ｐ４ｂからも、長辺ｐ４’及び短辺ｐ４”に対して４５度の角度で、対向する長辺ｐ４’に向けて、直線状に延在する直線状傾斜溝４ｂが形成されているとともに、直線状傾斜溝４ｂに対して平行に、且つ、所定の間隔を置いて、直線状傾斜溝４ｂ’が形成されている。
【００２８】
なお、副通路形成用パネルＰ４の４つの角部に、方形状の切欠部４を形成することもできる。また、切欠部４を構成する、互いに直交する辺部４ａ、４ｂの一方の辺部４ａは、短辺ｐ４”に対して平行で、また、互いに直交する辺部４ａ、４ｂのもう一方の辺部４ｂは、長辺ｐ４’に対して平行になるように構成されている。副通路形成用パネルＰ４に形成された切欠部４は、上述した主通路形成用パネルＰ３に形成された切欠部３と、略同じ大きさに形成されている。
【００２９】
上述したように、直線状傾斜溝４ａ、４ａ’、４ｂ、４ｂ’を形成することにより、副通路形成用パネルＰ４には、隣接する相対する直線状傾斜溝４ａ、４ａ’、４ｂ、４ｂ’により囲繞された、上述した正方形状碁盤目領域２ａと同様の正方形状碁盤目領域５ａが形成されている。
【００３０】
また、副通路形成用パネルＰ４の長辺ｐ４’及び短辺ｐ４”の周縁部に沿って、正方形状碁盤目領域５ａの対角線により二分された形状を有する、略正三角形状の領域（以下、この領域を、三角形状領域と称する。）５ｂが形成されている。
【００３１】
副通路形成用パネルＰ４の長辺ｐ４’には、直線状傾斜溝４ａ’と直線状傾斜溝４ｂの交点６ａが位置し、また、副通路形成用パネルＰ４の短辺ｐ４”には、同様に、直線状傾斜溝４ａ’と直線状傾斜溝４ｂの交点６ｂが位置するように構成されているとともに、互いに直交する辺部４ａ、４ｂにより形成される切欠部４の隅部４ｃには、直線状傾斜溝４ａ’或いは直線状傾斜溝４ｂ’のうちの１本が到達するように構成されている。
【００３２】
次に、図７〜図１０を用いて、上述した冷暖房用パイプ施工用第１パネルＰ１’、冷暖房用パイプ施工用第２パネルＰ１”、冷暖房用パイプ保護用パネルＰ２、主通路形成用パネルＰ３及び副通路形成用パネルＰ４の床基礎Ｆ上への施工について説明する。
【００３３】
先ず最初に、床基礎Ｆの上面に、冷暖房用パイプ施工用第１パネルＰ１’や冷暖房用パイプ施工用第２パネルＰ１”を敷き詰めることになるが、一例として、図９に示されているように、冷暖房用パイプ施工用第１パネルＰ１’や冷暖房用パイプ施工用第２パネルＰ１”は、その長辺ｐ１’方向、或いは、短辺ｐ１”方向が、揃うように布設される。換言すれば、隣接する冷暖房用パイプ施工用第１パネルＰ１’や冷暖房用パイプ施工用第２パネルＰ１”の長辺ｐ１’同士、或いは、短辺ｐ１”同士が、互いに、当接、或いは、接近して位置するように、床基礎Ｆの上面に布設される。
【００３４】
床基礎Ｆに、冷暖房用パイプ施工用第１パネルＰ１’や冷暖房用パイプ施工用第２パネルＰ１”を布設する際には、冷暖房用パイプ施工用第１パネルＰ１’のみを使用することもできるが、冷暖房用パイプ施工用第１パネルＰ１’は、直線状長溝１ｅのみが形成されている冷暖房用パイプ施工用第２パネルＰ１”に較べて高価であるので、冷暖房用パイプ施工用第１パネルＰ１’と冷暖房用パイプ施工用第２パネルＰ１”を組み合わせて使用することが好ましい。
【００３５】
冷暖房用パイプ施工用第１パネルＰ１’と冷暖房用パイプ施工用第２パネルＰ１”を組み合わせて使用する場合には、冷暖房用パイプ施工用第２パネルＰ１”は、壁部側や階段や取り付け家具等側に布設され、また、冷暖房用パイプ施工用第２パネルＰ１”は、冷暖房用パイプ施工用第１パネルＰ１’を連結するために使用されることになる。
【００３６】
図９には、一例として、壁部で囲まれた方形状の床基礎Ｆに、冷暖房用パイプ施工用第１パネルＰ１’と冷暖房用パイプ施工用第２パネルＰ１”を布設した例が示されており、一方の相対する壁部側には、冷暖房用パイプ施工用第１パネルＰ１’が布設されており、また、一方の相対する壁部側に配設された冷暖房用パイプ施工用第１パネルＰ１’間には、冷暖房用パイプ施工用第２パネルＰ１”が布設されている。なお、図９においては、冷暖房用パイプ施工用第１パネルＰ１’を、短辺ｐ１”に沿って、所定の長さに切断したものが使用されている。
【００３７】
また、図８や図９に示されているように、冷暖房用パイプ施工用第１パネルＰ１’の長辺ｐ１’同士が互いに当接するように布設された場合には、当接された冷暖房用パイプ施工用第１パネルＰ１’の四分環状湾曲溝１ｄにより、半環状湾曲溝１ｃと同様の半環状湾曲溝が形成されることになる。
【００３８】
上述したように、床基礎Ｆの大きさや形状に応じて、冷暖房用パイプ施工用第１パネルＰ１’や冷暖房用パイプ施工用第２パネルＰ１”を、適宜、切断して使用することができる。また、布設された冷暖房用パイプ施工用第１パネルＰ１’や冷暖房用パイプ施工用第２パネルＰ１”と壁部との間に間隙が生じた場合には、適宜、冷暖房用パイプ施工用第１パネルＰ１’や冷暖房用パイプ施工用第２パネルＰ１”と同じ厚さを有する適当な板材からなる調整パネルを、冷暖房用パイプ施工用第１パネルＰ１’や冷暖房用パイプ施工用第２パネルＰ１”と壁部との間に生じた間隙に布設することもできる。
【００３９】
上述したように、床基礎Ｆに、冷暖房用パイプ施工用第１パネルＰ１’や冷暖房用パイプ施工用第２パネルＰ１”を敷き詰める際には、冷暖房用パイプ施工用第１パネルＰ１’に形成された直線状長溝１ａと直線状短溝１ｂが、互いに連通するように構成されており、また、冷暖房用パイプ施工用第１パネルＰ１’に形成された直線状長溝１ａと冷暖房用パイプ施工用第２パネルＰ１”に形成された直線状長溝１ｅとが、互いに連通するように構成されており、更に、隣接する冷暖房用パイプ施工用第１パネルＰ１’の四分環状湾曲溝１ｄ同士が、互いに連通し、半環状湾曲溝が形成されるように構成されている。
【００４０】
なお、冷暖房用パイプ施工用第１パネルＰ１’及び冷暖房用パイプ施工用第２パネルＰ１”を、床基礎Ｆの上面に敷き詰める際には、必要に応じて、冷暖房用パイプ施工用第１パネルＰ１’や冷暖房用パイプ施工用第２パネルＰ１”を、ビスや釘等の適当な固着具を用いて、床基礎Ｆに固着することができる。
【００４１】
次いで、公知のように、冷暖房用パイプ施工用第１パネルＰ１’の直線状長溝１ａや半環状湾曲溝１ｃや四分環状湾曲溝１ｄ、及び／又は、冷暖房用パイプ施工用第２パネルＰ１”の直線状長溝１ｅに、適宜、冷暖房用パイプＨｐを挿入し配設する。
【００４２】
例えば、冷暖房用パイプ施工用第２パネルＰ１”の直線状長溝１ｅに挿入された冷暖房用パイプＨｐは、この冷暖房用パイプ施工用第２パネルＰ１”に隣接して布設された冷暖房用パイプ施工用第１パネルＰ１’の直線状長溝１ａに挿入され、次いで、直線状長溝１ａから半環状湾曲溝１ｃに挿入されて折り返され、その後、冷暖房用パイプ施工用第１パネルＰ１’の既に冷暖房用パイプＨｐが挿入された直線状長溝１ａの隣に位置する直線状長溝１ａに挿入された後、冷暖房用パイプ施工用第１パネルＰ１’の直線状長溝１ａから、再度、冷暖房用パイプ施工用第２パネルＰ１”の直線状長溝１ｅに挿入されることになる。その後、冷暖房用パイプＨｐは、冷暖房用パイプ施工用第２パネルＰ１”の直線状長溝１ｅから、上記の冷暖房用パイプ施工用第１パネルＰ１’に対して、冷暖房用パイプ施工用第２パネルＰ１”を挟んで、反対側に位置する冷暖房用パイプ施工用第１パネルＰ１’の直線状長溝１ａに挿入され、次いで、直線状長溝１ａから半環状湾曲溝１ｃに挿入されて折り返され、その後、冷暖房用パイプ施工用第１パネルＰ１’の既に冷暖房用パイプＨｐが挿入された直線状長溝１ａの隣に位置する直線状長溝１ａに挿入されるとともに、冷暖房用パイプ施工用第２パネルＰ１”の直線状長溝１ｅに挿入されることになる。このような作業を繰り返して行うことにより、冷暖房用パイプＨｐが、冷暖房用パイプ施工用第１パネルＰ１’、及び／又は、冷暖房用パイプ施工用第２パネルＰ１”に配設されることになる。
【００４３】
その後、冷暖房用パイプＨｐが配設された冷暖房用パイプ施工用第１パネルＰ１’や冷暖房用パイプ施工用第２パネルＰ１”の上に、溝や切欠き等が形成されていない無垢の平板状として形成された冷暖房用パイプ保護用パネルＰ２を、冷暖房用パイプ保護用パネルＰ２間に、実質的に間隙が形成さないように敷き詰める。このように、冷暖房用パイプＨｐが配設された冷暖房用パイプ施工用第１パネルＰ１’や冷暖房用パイプ施工用第２パネルＰ１”の上に、溝や切欠き等が形成されていない無垢の平板状として形成された冷暖房用パイプ保護用パネルＰ２を敷き詰めることにより、上からの負荷により、冷暖房用パイプＨｐが損傷するようなことを防止することができるとともに、冷暖房用パイプ保護用パネルＰ２により、暖房熱や冷却熱を、効果的に蓄熱することができ、従って、冷暖房の熱維持効果を高めることができる。
【００４４】
なお、冷暖房用パイプＨｐが配設された冷暖房用パイプ施工用第１パネルＰ１’や冷暖房用パイプ施工用第２パネルＰ１”の上に、冷暖房用パイプ保護用パネルＰ２を敷き詰める際には、必要に応じて、冷暖房用パイプ保護用パネルＰ２を、ビスや釘等の適当な固着具を用いて、冷暖房用パイプ施工用第１パネルＰ１’、及び／又は、冷暖房用パイプ施工用第２パネルＰ１”に固着することもできる。
【００４５】
次いで、冷暖房用パイプ保護用パネルＰ２の上面に、主通路形成用パネルＰ３を布設することになるが、隣接する主通路形成用パネルＰ３の長辺ｐ３’同士の間及び隣接する主通路形成用パネルＰ３の短辺ｐ３”同士の間に、所定の間隙Ｄ１を形成することにより、隣接する主通路形成用パネルＰ３間には、電力線・通信線が通線され主通路ｗ１が形成されることになる。
【００４６】
また、図８及び図１０に示されているように、主通路形成用パネルＰ３の短辺ｐ３”同士を、所定の間隔Ｄ１を置いて布設するとともに、主通路形成用パネルＰ３の長辺ｐ３’同士を、所定の間隔Ｄ１を置いて布設することにより、４枚の主通路形成用パネルＰ３の４つの切欠部３により、平面形状が略方形状の分岐空間部ｗ２が形成されることになる。なお、電力線・通信線が通線され主通路ｗ１は、分岐空間部ｗ２に連通されることになる。このように、主通路ｗ１と分岐空間部ｗ２とにより、電力線・通信線が収容される主収容部Ｗ１が形成されることになる。
【００４７】
なお、冷暖房用パイプ保護用パネルＰ２の上に、主通路形成用パネルＰ３を布設する際に、必要に応じて、主通路形成用パネルＰ３を、ビスや釘等の適当な固着具を用いて、冷暖房用パイプ保護用パネルＰ２に固着することもできる。
【００４８】
次いで、主通路形成用パネルＰ３の上面に、副通路形成用パネルＰ４を、隣接する副通路形成用パネルＰ４の長辺ｐ１’同士の間、及び、短辺ｐ１”同士の間に、副通路形成用パネルＰ４に形成された直線状傾斜溝４ａ、４ａ’、４ｂ、４ｂ’の溝幅Ｄ２と略同じ間隔Ｄ３が形成されるように、且つ、この間隙Ｄ３が、上述した主通路形成用パネルＰ３間に形成された間隔Ｄ１の上方に位置するように布設する。また、４枚の副通路形成用パネルＰ４の４つの切欠部４により、平面形状が略方形状の分岐空間部ｗ３が形成され、この分岐空間部ｗ３は、上述した、４枚の主通路形成用パネルＰ３の４つの切欠部３により形成された分岐空間部ｗ２の上方に位置するように構成されている。
【００４９】
上述したように、主通路形成用パネルＰ３の上面に、副通路形成用パネルＰ４を布設することにより、隣接する副通路形成用パネルＰ４に形成された直線状傾斜溝４ａ、４ａ’、４ｂ、４ｂ’が、隣接する副通路形成用パネルＰ４に間に形成された間隔Ｄ３を介して、連通されるように構成されており、直線状傾斜溝４ａ、４ａ’、４ｂ、４ｂ’に、主通路形成用パネルＰ３の主収容部Ｗ１を構成する主通路ｗ１や分岐空間部ｗ２に収容された電力線・通信線群Ｌ１から分岐された所定の電力線・通信線Ｌ２が挿入されるように構成されている。
【００５０】
上述したようにして、主通路形成用パネルＰ３同士を、所定の間隔Ｄ１を置いて布設することにより、主通路ｗ１と分岐空間部ｗ２とからなる主収容部Ｗ１を形成するとともに、主収容部Ｗ１に、複数本の電力線・通信線群Ｌ１を収容し、主通路形成用パネルＰ３の上面に布設された副通路形成用パネルＰ４の直線状傾斜溝４ａ、４ａ’、４ｂ、４ｂ’に、主通路形成用パネルＰ３の主収容部Ｗ１に収容された複数本の電力線・通信線群Ｌ１から分岐された電力線・通信線Ｌ２を配線することができるように構成されている。
【００５１】
なお、冷暖房用パイプ保護用パネルＰ２の上に、主通路形成用パネルＰ３を布設する際に、必要に応じて、主通路形成用パネルＰ３を、ビスや釘等の適当な固着具を用いて、冷暖房用パイプ保護用パネルＰ２に固着することもできる。
【００５２】
その後、副通路形成用パネルＰ４の上面に、適当なフローリング材Ｍを敷き詰めることにより、床構造が構成されることになる。
【００５３】
上述したような、冷暖房用パイプ施工用第１パネルＰ１’、冷暖房用パイプ施工用第２パネルＰ１”、冷暖房用パイプ保護用パネルＰ２、主通路形成用パネルＰ３及び副通路形成用パネルＰ４は、木毛や木片や木材チップ等の木質材料とセメントとからなる木質系セメント板（木毛セメント板や木片セメント板）を使用することが好ましい。特に、幅が、１ｍｍ〜１０ｍｍで、厚さが、０．１ｍｍ〜２ｍｍの木毛を使用した木毛セメント板で、且つ、嵩比重が、０．８〜１．５を有する木毛セメント板を使用することが好ましい。このような、嵩比重が、０．８〜１．５を有する木毛セメント板を使用することにより、上述したパネルＰ１’、Ｐ１”、Ｐ２、Ｐ３、Ｐ４同士を、上述したように、ビスや釘等の適当な固着具を用いて固着する際に、固着具が、十分な保釘力を有することになる。
【００５４】
なお、上述した実施例には、冷暖房用パイプＨｐが配設された冷暖房用パイプ施工用パネルＰ１’、Ｐ１”と主通路形成用パネルＰ３との間に、冷暖房用パイプ施工用パネルＰ１’、Ｐ１”に配設された冷暖房用パイプＨｐを保護するとともに、蓄熱機能を有する冷暖房用パイプ保護用パネルＰ２を配設させた例が示されているが、必要に応じて、冷暖房用パイプ保護用パネルＰ２を省略することができる。
【００５５】
上述したように、冷暖房用パイプＨｐが配設される冷暖房用パイプ施工用パネルＰ１’、Ｐ１”を、従来のパネルに較べて、多種用意する必要がないので、床構造の施工作業の作業性が向上する。
【００５６】
また、上述したように、冷暖房用パイプＨｐが配設される冷暖房用パイプ施工用パネルＰ１’、Ｐ１”の上に、電力線・通信線が配設される主通路形成用パネルＰ３及び副通路形成用パネルＰ４を布設するように構成したので、電力線・通信線の配線替えの際に、冷暖房用パイプＨｐが配設された冷暖房用パイプ施工用パネルＰ１’、Ｐ１”を取り外す必要がなく、従って、電力線・通信線の配線替え作業の作業性が向上する。
【００５７】
更に、電力線・通信線が配設される主通路としての間隙Ｄ１を置いて布設された主通路形成用パネルＰ３の上に、電力線・通信線が通線される副通路としての直線状傾斜溝４ａ、４ａ’、４ｂ、４ｂ’が形成された副通路形成用パネルＰ４を布設するようにしたので、主通路に配設される電力線・通信線と副通路に配設される電力線・通信線とを整然と交絡することなく配線することができる。
【００５８】
更にまた、冷暖房用パイプ施工用パネルを、直線状溝１ａ、１ｂ、半円環状湾曲溝１ｃ及び四分環状湾曲溝１ｄとが形成されている冷暖房用パイプ施工用第１パネルＰ１’と、直線状溝１ｅのみが形成されている冷暖房用パイプ施工用第２パネルＰ１”との２種類のパネルにより構成したので、この２種類のパネルのみにより、どのような大きさの床基礎上に冷暖房用パイプＨｐを配設することができるので、冷暖房用パイプＨｐの布設時間を短縮することができるとともに、冷暖房用パイプＨｐの布設に特殊能力を必要とせず、従って、冷暖房用パイプＨｐの布設作業の作業性を向上することができる。
【図面の簡単な説明】
【００５９】
【図１】図１は、本発明の床構造を構成する冷暖房用パイプ施工用第１パネルの平面図である。
【図２】図２は、本発明の床構造を構成する冷暖房用パイプ施工用第１パネルの部分拡大平面図である。
【図３】図３は、本発明の床構造を構成する冷暖房用パイプ施工用第２パネルの平面図である。
【図４】図４は、本発明の床構造を構成する冷暖房用パイプ保護用パネルの平面図である。
【図５】図５は、本発明の床構造を構成する主通路形成用パネルの平面図である。
【図６】図６は、本発明の床構造を構成する副通路形成用パネルの平面図である。
【図７】図７は、本発明の床構造の垂直断面図である。
【図８】図８は、本発明の床構造を構成する冷暖房用パイプ施工用第１パネル、冷暖房用パイプ施工用第２パネル、冷暖房用パイプ保護用パネル、主通路形成用パネル及び副通路形成用パネルの分解斜視図である。
【図９】図９は、本発明の床構造を構成する冷暖房用パイプ施工用第１パネル及び冷暖房用パイプ施工用第２パネルが布設された状態の平面図である。
【図１０】図１０は、本発明の床構造を構成する主通路形成用パネルの上に、副通路形成用パネルが布設された状態の部分拡大斜視図である。
【符号の説明】
【００６０】
Ｐ１’・・・・・・・・・冷暖房用パイプ施工用第１パネル
Ｐ１”・・・・・・・・・冷暖房用パイプ施工用第２パネル
Ｐ２・・・・・・・・・・冷暖房用パイプ保護用パネル
Ｐ３・・・・・・・・・・主通路形成用パネル
Ｐ４・・・・・・・・・・副通路形成用パネル
１ａ・・・・・・・・・・直線状長溝
１ｂ・・・・・・・・・・直線状短溝
１ｃ・・・・・・・・・・半環状彎曲溝
１ｄ・・・・・・・・・・四分環状彎曲溝
１ｅ・・・・・・・・・・直線状長溝
【図１】
0005227585.tif 000002
【図２】
0005227585.tif 000003
【図３】
0005227585.tif 000004
【図４】
0005227585.tif 000005
【図５】
0005227585.tif 000006
【図６】
0005227585.tif 000007
【図７】
0005227585.tif 000008
【図８】
0005227585.tif 000009
【図９】
0005227585.tif 000010
【図１０】
0005227585.tif 000011